(57)【要約】【課題】信号の伝送品質の向上を図っているコネクタ装置を提供する。【解決手段】本発明は、絶縁ハウジングと、絶縁ハウジングに装着される複数のコンタクトと、絶縁ハウジングの外周を覆う金属シェルと、を含むコネクタ装置において、複数のコンタクトは第１端子組を含み、第１端子組の各端子は、相手コネクタの挿入方向に直交する方向に沿って一列で配置される接触部と、相手コネクタの挿入方向に直交する方向に沿って延出する延出部と、接触部と延出部とを連接して、相手コネクタの挿入方向に沿って配置される中間部と、をそれぞれ含み、第１端子組は、ペア差動信号端子を含み、ペア差動信号端子は、第１端子と第２端子とを構成され、第１端子と第２端子との長さが同じである。これにより、信号伝送のシンクロナイズが保証でき、各ペア差動信号端子の間にスキューはないはずであり、信号の伝送品質の向上に有利になる。【選択図】図５
2011138775.tif 000002
【特許請求の範囲】
【請求項１】
絶縁ハウジングと、前記絶縁ハウジングに装着される複数のコンタクトと、前記絶縁ハウジングの外周を覆う金属シェルと、を含むコネクタ装置において、
前記複数のコンタクトは第１端子組を含み、前記第１端子組の各端子は、相手コネクタの挿入方向に直交する方向に沿って一列で配置される接触部と、前記相手コネクタの挿入方向に直交する方向に沿って延出する延出部と、前記接触部と延出部とを連接して、前記相手コネクタの挿入方向に沿って配置される中間部と、をそれぞれ含み、
前記第１端子組は、ペア差動信号端子を含み、前記ペア差動信号端子は、第１端子と第２端子とから構成され、前記第１端子と第２端子との長さが同じであることを特徴とするコネクタ装置。
【請求項２】
前記第１端子の中間部は、前記第２端子の中間部の上方に位置し、第１端子の延出部が第２端子の延出部の前方に位置するとことを特徴とする請求項１に記載のコネクタ装置。
【請求項３】
前記第１端子組の各端子の前記中間部が同一平面上に配置され、前記第１端子組の各端子の前記延出部が異なる平面上にそれぞれ配置されることを特徴とする請求項１に記載のコネクタ装置。
【請求項４】
前記第１端子組は、前記中間部と延出部とを連接して、一側へ寄るＬ字形状を呈する偏り部を含み、前記一側へ寄る偏り部により前記延出部が異なる平面に配置されることを特徴とする請求項１に記載のコネクタ装置。
【請求項５】
前記偏り部は、前記中間部に直交するように連接する第１主体と、前記第１主体に直交して、前記延出部に連接する第２主体と、を含み、
前記相手コネクタの離脱方向に沿って、前記第１主体は前記あらゆる延出部の前方に位置することを特徴とする請求項４に記載のコネクタ装置。
【請求項６】
前記第１端子組は、第３端子と第４端子により構成される他のペア差動信号端子を含み、前記第１端子と、第２端子と、第３端子と、第４端子とは、完成体における長さが同じであることを特徴とする請求項１に記載のコネクタ装置。
【請求項７】
前記相手コネクタの挿入方向に直交する方向に沿って、前記第１端子と、第２端子と、第３端子と、第４端子との中間部が順次に配置され、
相手コネクタの挿入方向に沿って、前記第１端子と、第２端子と、第３端子と、第４端子との延出部の配列の順序が使用要求に応じて調整できることを特徴とする請求項６に記載のコネクタ装置。
【請求項８】
前記第１端子組は、前記二つのペア差動信号端子の間に配置される第５端子を含み、
相手コネクタの挿入方向に直交する方向において、前記第５端子の中間部が前記二つのペア差動信号端子の中間部との間に配置され、
相手コネクタの挿入方向に沿って、前記第５端子の延出部が前記二つのペア差動信号端子の延出部との間に配置されることを特徴とする請求項７に記載のコネクタ装置。
【発明の詳細な説明】
【技術分野】
【０００１】
本発明は、回路基板に実装されるコネクタ装置に関して、特にそれの電磁適合性対策の構造に関する。
【背景技術】
【０００２】
特許文献１を参照すると、従来のコネクタ装置は、五本のコンタクトによって構成される第１端子組と、四本のコンタクトによって構成される第２端子組と、前記第１端子組と第２端子組とを保持する絶縁ハウジングと、を含む。第１端子組は、差動信号の伝送に用いられ、隣接配置される対の＋信号コンタクトと−信号コンタクトとをそれぞれ構成する第１ペア差動端子及び第２ペア差動端子と、前記第１ペア差動端子と第２ペア差動端子との間に配置されるグランド端子と、を含む。
【先行技術文献】
【特許文献】
【０００３】
【特許文献１】台湾実用新案公告第M365582号明細書
【発明の概要】
【発明が解決しようとする課題】
【０００４】
特許文献１に掲示されたコネクタ装置は、第１端子組の各ペア差動端子の長さが異なるので、各ペア差動端子における２本のコンタクトの間にスキューがある（スキューとは信号が２本のコンタクトを伝播するのに要する時間の差である）。スキューは信号の伝送品質を低下させる恐れがある。したがって、新型の電気コネクタを開発することが必要である。
【０００５】
本発明は、係る点に鑑みてなされたものであり、信号の伝送品質の向上を図っているコネクタ装置を提供することを目的とする。
【課題を解決するための手段】
【０００６】
本発明は、絶縁ハウジングと、前記絶縁ハウジングに装着される複数のコンタクトと、前記絶縁ハウジングの外周を覆う金属シェルと、を含むコネクタ装置において、前記複数のコンタクトは第１端子組を含み、前記第１端子組の各端子は、相手コネクタの挿入方向に直交する方向に沿って一列で配置される接触部と、前記相手コネクタの挿入方向に直交する方向に沿って延出する延出部と、前記接触部と延出部とを連接して、前記相手コネクタの挿入方向に沿って配置される中間部と、をそれぞれ含み、前記第１端子組は、ペア差動信号端子を含み、前記ペア差動信号端子は、第１端子と第２端子とから構成され、前記第１端子と第２端子との長さが同じであることを特徴とする。
【発明の効果】
【０００７】
従来技術に比べ、本発明は以下の利点を有する。各ペア差動信号端子の完成体における長さが同じであることにより、信号伝送のシンクロナイズが保証でき、各ペア差動信号端子の間にスキューは生じないようになり、信号の伝送品質の向上に有利になる。
【図面の簡単な説明】
【０００８】
【図１】本発明に係るコネクタ装置の第１実施形態の組立斜視図である。
【図２】図１に示すコネクタ装置の一部分の組立斜視図である。
【図３】本発明に係るコネクタ装置の第１実施形態の分解図である。
【図４】図２に示すに係るコネクタ装置の第１端子組と第１絶縁本体との底面図である。
【図５】本発明に係るコネクタ装置の第１実施形態の第１端子組の分解図である。
【図６】本発明に係るコネクタ装置の第２実施形態の組立斜視図である。
【図７】本発明に係るコネクタ装置の第２実施形態の分解図である。
【図８】図７に示すに係るコネクタ装置の第１端子組と第１絶縁本体との底面図である。
【図９】本発明に係るコネクタ装置の第２実施形態の第１端子組の分解図である。
【発明を実施するための形態】
【０００９】
以下、図１乃至図５を参照して、本発明の第１実施形態について説明する。コネクタ装置１００は、回路基板（図示せず）に実装され、ＵＳＢ３.０規格に符合するものである。以下、相手コネクタを離脱する方向を前方として、相手コネクタを挿入する方向を後方として説明する。コネクタ１００は、絶縁ハウジング１と、絶縁ハウジング１に保持される複数のコンタクトと、絶縁ハウジング１の外周を覆う金属シェル４と、前記シェル４の後方を閉鎖するためのカバー５と、を含む。
【００１０】
絶縁ハウジング１は、互いに組み合わせた第１絶縁本体１１と第２絶縁本体１２とを含む。第１絶縁本体１１は、基部１１１と、基部１１１から前向きに延出する舌片１１２とを含み、基部１１１は回路基板に対向する底壁１１１１と、底壁１１１１を貫通する端子孔１１１２が設けられる。舌片１１２の一側壁１１２０に五つの第１端子溝１１２１と、四つの第２端子溝１１２２が形成され、前記第１端子溝１１２１が第２端子溝１１２２より舌片１１２の自由末端に隣接するように配置され、第１端子溝１１２１の断面が矩形状を呈し、第２端子溝１１２２が前後方向に沿って延出するスロットである。
【００１１】
前記第２絶縁本体１２が矩形状を呈する平板であり、第１絶縁本体１１の基部１１１の一側面に貼り付けられ、コンタクトを保持するのに用いられる。
【００１２】
図２乃至図５を参照すると、前記複数のコンタクトは、導電金属板からなり、第１端子組２と第２端子組３とを含み、前記第２端子組がＵＳＢ２.０規格に符合するプラグに嵌合でき、前記第１端子組２と第２端子組３とがＵＳＢ３.０規格に符合するプラグに嵌合できる。
【００１３】
第１端子組２は第１絶縁本体１１に一体に成型され、差動信号を伝送するための第１ペア差動端子２３及び第２ペア差動端子２４と、第１ペア差動端子２３と第２ペア差動端子２４との間に接地するグランド端子２５と、を含む。第１ペア差動端子２３は、＋信号を伝送するための第１端子２３１、−信号を伝送するための第２端子２３２を構成する。第２ペア差動端子２４は、＋信号を伝送するための第３端子２４１、−信号を伝送するための第４端子２４２を構成する。前記グランド端子２５は第１端子組２の第５端子としている。
【００１４】
前記第１端子組２の各端子は、前後方向に沿って延出する中間部２１と、中間部２１の先端から第１端子溝１１２１に収容して露出する平板状の接触部２１０と、前記中間部２１の後端に直交して回路基板へ向きに延出する延出部２２と、延出部２２から下向きに延出して幅狭の半田部２２０と、を含み、前記半田部２２０が前記端子孔１１２を貫通するように配置される。前後方向に直交する方向において、前記五つの接触部２１０が一列で配置される。
【００１５】
第１ペア差動信号端子２３における第１端子２３１の中間部２１は、第２端子２３２の中間部２１の上方に位置して、第１端子２３１の延出部２２は、第２端子２３２の延出部２２の前方に位置するようになっている。即ち、前記第１端子２３１の中間部２１の長さが第２端子２３２の中間部の長さより短く、第１端子２３１の延出部２２の長さが第２端子２３３の延出部２２の長さより長くなっている。したがって、第１端子２３１と第２端子２３２との完成体における長さは同じとなる。差動信号の伝送において、信号が同じ距離を通じて均衡に伝送でき、第１端子２３１と第２端子２３２との間にスキューは生じないようになるであろう。
【００１６】
第２ペア差動信号端子２４の構造は第１ペア差動信号２３とほぼ同じであり、即ち、第２ペア差動信号端子２４の第３端子２４１と第４端子２４２との完成体における長さは同じである。これによって、第２ペア差動信号端子２４の間にスキューは生じないようになるであろう。
【００１７】
前記第２端子２３２と第４端子２４２との中間部２１と延出部２２との間に、一側へ寄るＬ字形状を呈する偏り部２１１が形成され、中間部２１と延出部２２がＬ字形状を呈する偏り部２１１により連接される。即ち、前記中間部２１が同一平面に配置され、延出部２２が異なる平面にそれぞれ配置される。前記偏り部２１１は、中間部２１に直交するように連接する第１主体（参照記号なし）と、第１主体に直交して前記延出部２２に連接する第２主体とを含み、前記第１主体の長さが異なるので、隣接する各端子の延出部２２が交差するように配置され、隣接した端子の延出部２２の下端での半田部２２０同士の間に干渉し接触することが防止でき、更に、回路基板への半田作業に便利になる。偏り部２１１の第２主体の長さを調整することを通じて、相手コネクタの挿入方向に沿って、前記第１端子組２の延出部２２の配列の順序が使用要求に応じて調整できる。勿論、他の実施状態において、偏り部２１１が全部の第１端子組２の各端子に設けられてもよい。
【００１８】
第２端子組３は、前記基部１１１と第２絶縁本体１２との間に挟まれ、第２端子組３の各端子は、第２端子溝１２２に収容されるアーム部３１と、アーム部３１の一端に突出する接触部３２と、を含み、前記接触部３２が第１端子組２の接触部２１０の後端に配置される。前記第１端子組２の接触部２１０と第２端子組３の接触部３２が前記舌片１１２の一側壁１１２０に同時に配置される。
【００１９】
図１と図２を参照すると、前記金属シェル４が絶縁ハウジング１の外周を覆い、これにより、第１絶縁本体１１と第２絶縁本体１２を安定に保持される。カバー５が前記金属シェル４の後端に閉鎖的に組み合われることにより、コネクタ装置１００に静電障害を防止できる。
【００２０】
図７乃至図９には、本発明に係るコネクタ装置の第２実施形態を示す。第１実施形態においては、第１ペア差動信号端子２３の長さと第２ペア差動信号端子２４との長さが異なっている、即ち、第１端子２３１と第２端子２３２との長さが第３端子２４１と第４端子２４２との長さより長くなっている。一方で第２実施状態においては、第１ペア差動信号端子２３と第２ペア差動信号端子２４と第５端子２５との完成体における長さが同じであり、これによって、各端子の信号を伝送するシンクロナイズが保証できる。
【００２１】
具体的に、第２実施状態において、前記第１端子組２’の第１端子２３１’、第２端子２３２’、第５端子２５’、第３端子２４１’、第４端子２４２’は、中間部２１’の長さが順次に増加し、延出部２２’の長さが順次に減少するようになっている。また、前記第２端子２３２’と第５端子２５’と第３端子２４１’と第４端子２４２’との中間部２１’には一側へ寄る偏り部２１１’がそれぞれ形成され、偏り部２１１’の長さが順次に増加することで、前記第１端子組２’の各延出部２２’が異なる平面上にそれぞれ配置され、これにより、延出部２２’の下端での半田部２２０’の同士の間の干渉および接触を防止できる。
【００２２】
本発明のコネクタ装置は、各ペア差動信号端子の完成体における長さが同じであることにより、信号伝送のシンクロナイズが保証でき、各ペア差動信号端子の間にスキューはないはずである。また、各第１端子組２、２’の半田部２２０、２２０’同士の間の干渉および接触を防止でき、また、前記半田部に接続した回路基板の導電パッド又は導電孔の配置が便利になった。
【００２３】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２４】
１００  コネクタ装置
１  絶縁ハウジング
１１  第１絶縁本体
１２  第２絶縁本体
１１１  基部
１１２  舌片
２  第１端子組
２１  中間部
２２  延出部
２３  第１ペア差動信号端子
２４  第２ペア差動信号端子
２５  グランド端子（第５端子）
２１０  接触部
２２０  半田部
２３１  第１端子
２３２  第２端子
２４１  第３端子
２４２  第４端子  
３  第２端子組
４  金属シェル
５  カバー
【図１】
2011138775.tif 000003
【図２】
2011138775.tif 000004
【図３】
2011138775.tif 000005
【図４】
2011138775.tif 000006
【図５】
2011138775.tif 000007
【図６】
2011138775.tif 000008
【図７】
2011138775.tif 000009
【図８】
2011138775.tif 000010
【図９】
2011138775.tif 000011